(57)【特許請求の範囲】
【請求項１】
水槽に設けられた排水口を閉じる排水栓蓋を、操作ボタンの操作によってレリースワイヤを介して昇降させて前記排水口を開閉する遠隔操作式排水栓装置において、
前記操作ボタンが取り付けられる取付対象部に形成された貫通孔に表面側から挿入され、内部に前記操作ボタンを進退可能な案内面を有し、周囲に雄ネジが設けられた円筒部と、当該円筒部の上部に形成されたフランジと、を有するフランジ部材と、
前記取付対象部の裏面側から前記円筒部の雄ネジに螺合される雌ネジが設けられて、前記フランジと共に前記取付対象部を挟持する締付ナットと、
で構成された操作部ガイド部と、
前記操作ボタンの進退動作を前記レリースワイヤに伝達する機構部を内部に保持するとともに、前記操作部ガイド部に前記取付対象部の裏面側から接続可能な接続管と、
前記接続管の端部に回転可能に設けられて、前記接続管を前記操作部ガイド部に接続させる接続管用接続具と、
を備え、
前記操作部ガイド部および前記接続管用接続具のいずれか一方には突起を、他方には前記突起を受け入れるガイド溝を設け、
前記接続管用接続具を前記操作部ガイド部の周囲で回転させて前記突起を前記操作部ガイド部のロック位置まで前記ガイド溝で案内することによって前記接続管を前記操作部ガイド部に接続し、
前記締付ナットに、前記突起又はガイド溝のいずれか一方を設けたことを特徴とする遠隔操作式排水栓の操作部取付け構造。
【請求項２】
請求項１において、前記ガイド溝の奥に、前記突起をロック位置に拘束する位置決め用の段部を形成したことを特徴とする遠隔操作式排水栓の操作部取付け構造。
【請求項３】
請求項２において、前記段部は、前記突起の頂点が当該段部を乗り越えてロック位置に到達するように前記ガイド溝の底面に形成され、前記段部より奥側の前記ガイド溝に、前記段部を乗り越えた前記突起が前記ガイド溝から外れないようにする脱落防止部を形成したことを特徴とする遠隔操作式排水栓の操作部取付け構造。
【請求項４】
請求項１〜３のいずれか１項において、  前記ガイド溝は、前記接続管用接続具を前記操作部ガイド部に徐々に挿入させる傾斜ガイド部を有し、  前記突起が前記傾斜ガイド部で案内されることによって、前記操作部ガイド部と前記接続管のいずれか一方に設けたＯリングを、前記操作部ガイド部と前記接続管との間に介在させるようにしたことを特徴とする遠隔操作式排水栓の操作部取付け構造。
【発明の詳細な説明】
【技術分野】
【０００１】
本発明は、浴槽や洗面ボウルなどの水槽の排水口を開閉するのに使用される遠隔操作式の排水栓装置に関する。
【背景技術】
【０００２】
特許文献１に示されているように、従来、遠隔操作式の排水栓装置では、その操作部を浴槽の縁に取り付ける際に、操作部の上下動をガイドする貫通孔を有するフランジ部材とフランジ部材の外周に螺合する締付具とで浴槽を挟持するように固定し、さらに、レリースワイヤが収められた接続管をフランジ部材の下端部にロック部材で締結していた。このロック部材は、弾性変形することによって胴体部にワンタッチで装着される。具体的には、ロック部材に形成されたアームを胴体部に装着する際に、二股に分岐して弾性変形可能なアームが胴体部によって押し広げられた後、弾性変形が復元してアームが胴体部に接触するようにして、ロック部材が胴体部に装着される。
【先行技術文献】
【特許文献】
【０００３】
【特許文献１】特開２００４−２１１４５６号公報
【発明の概要】
【発明が解決しようとする課題】
【０００４】
しかし、接続管の締結は、浴槽の縁の下方で行われるためロック部材が装着されていることを確認しにくい。そのため接続管がしっかりと装着されず、接続管が外れてしまうことがあった。また、フランジ部材と接続管の間に嵌め込まれたＯリングの摩擦力によって接続管が中途半端に固定されてしまい、ロック部材が装着されぬまま放置されてしまう恐れがあった。その場合、Oリングの摩擦力では、接続管の固定状態を維持できず、接続管がフランジ部材から外れてしまい、漏水する恐れがあった。
そこで、本発明は、簡単な操作で、接続管をフランジ部材に確実に接続することが可能な排水栓装置を提供することを目的とする。
【課題を解決するための手段】
【０００５】
請求項１の発明は、水槽に設けられた排水口を閉じる排水栓蓋を、操作ボタンの操作によってレリースワイヤを介して昇降させて前記排水口を開閉する遠隔操作式排水栓装置において、前記操作ボタンが取り付けられる取付対象部に形成された貫通孔に表面側から挿入され、内部に前記操作ボタンを進退可能な案内面を有し、周囲に雄ネジが設けられた円筒部と、当該円筒部の上部に形成されたフランジと、を有するフランジ部材と、前記取付対象部の裏面側から前記円筒部の雄ネジに螺合される雌ネジが設けられて、前記フランジと共に前記取付対象部を挟持する締付ナットと、で構成された操作部ガイド部と、前記操作ボタンの進退動作を前記レリースワイヤに伝達する機構部を内部に保持するとともに、前記操作部ガイド部に前記取付対象部の裏面側から接続可能な接続管と、前記接続管の端部に回転可能に設けられて、前記接続管を前記操作部ガイド部に接続させる接続管用接続具と、を備え、前記操作部ガイド部および前記接続管用接続具のいずれか一方には突起を、他方には前記突起を受け入れるガイド溝を設け、前記接続管用接続具を前記操作部ガイド部の周囲で回転させて前記突起を前記操作部ガイド部のロック位置まで前記ガイド溝で案内することによって前記接続管を前記操作部ガイド部に接続し、前記締付ナットに、前記突起又はガイド溝のいずれか一方を設けたことを特徴とする遠隔操作式排水栓の操作部取付け構造である。
【０００６】
これによれば、接続管を操作部ガイド部に簡単な作業で確実に取り付けることができるので、接続管の取付け不良による不具合を確実に無くすことができる。
また、締結具を少し回すだけで接続管を取付けることができるので、作業が簡単にできる。
また、これによれば、操作部ガイド部を予め取付対象部に取り付けた際に占める領域を小さく抑えることができる。
【０００７】
請求項２の発明は、請求項１において、前記ガイド溝の奥に、前記突起をロック位置に拘束する位置決め用の段部を形成したことを特徴とする遠隔操作式排水栓の操作部取付け構造である。
【０００８】
これによれば、接続ナットが自然に抜けるのを防止できる。
【０００９】
請求項３の発明は、請求項２において、前記段部は、前記突起の頂点が当該段部を乗り越えてロック位置に到達するように前記ガイド溝の底面に形成され、前記段部より奥側の前記ガイド溝に、前記段部を乗り越えた前記突起が前記ガイド溝から外れないようにする脱落防止部を形成したことを特徴とする遠隔操作式排水栓の操作部取付け構造である。
【００１０】
これによれば、突起がロック位置に到達して接続管が操作部ガイド部に接続された状態で、接続管を左右に傾ける方向の力が働いたとしても、ガイド溝から突起が外れるのを脱落防止部が防止するので、接続管をより強固に接続することができる。
【００１３】  請求項５の発明は、請求項１〜３のいずれか１項において、前記ガイド溝は、前記接続管用接続具を前記操作部ガイド部に徐々に挿入させる傾斜ガイド部を有し、前記突起を前記傾斜ガイド部で案内して前記接続管を前記操作部ガイド部に徐々に挿入することによって、前記操作部ガイド部と前記接続管のいずれか一方に設けたＯリングを、前記操作部ガイド部と前記接続管との間に配設させるようにしたことを特徴とする遠隔操作式排水栓の操作部取付け構造である。【００１４】
これによれば、接続管用接続具を回転させて接続管接続具を徐々に操作部ガイド部内に挿入させる動きを利用して、操作部ガイド部と接続管の間にＯリングを配設するので、Ｏリングを操作部ガイド部と接続管の間に楽に押し込むことが可能となる。
【発明の効果】
【００１５】
本発明はによれば、簡単な操作で、接続管をフランジ部材に確実に接続することが可能な排水栓装置を提供することが可能となる。
【図面の簡単な説明】
【００１６】
【図１】本発明の実施形態にかかる排水栓装置を示す概略図である。
【図２】図１の排水栓装置の操作部を示す側面図である。
【図３】図２に示す操作部の中央縦断面図である。
【図４】図２に示す操作部の分解図である。
【図５】図２に示す操作部を浴槽のリム部に取り付ける状態を示す側面図である。
【図６】図５に示す操作部の中央縦断面図である。
【図７】フランジ部材を浴槽のリム部に取り付ける締付ナットを示す側面図である。
【図８】締付ナットの変形例を示す側面図である。
【発明を実施するための形態】
【００１７】
以下、図面を参照して、本発明の実施の形態を説明する。
図１は本発明の実施形態にかかる排水栓装置を示す概略図である。
排水栓装置１００は、浴槽２００（水槽）に設けられた排水口２１０に取り付けられる排水栓部１００Ａと、浴槽２００のリム面２２０に形成された貫通孔２２１（図２参照）に取り付けられる操作部１００Ｂと、を備え、排水栓部１００Ａと操作部１００Ｂとをレリースワイヤ１６０で接続した遠隔操作式の排水栓装置である。レリースワイヤ１６０は、操作部１００Ｂと排水栓部１００Ａとを接続するように設けられたホース１７０の内部に配設され、アウターチューブの内部でインナーワイヤが進退するように構成されている。
【００１８】
排水栓部１００Ａは、浴槽２００の排水口２１０の下部に取り付けられた支持金具１８０にレリースワイヤ１６０の一端に設けられた作動部１６５を保持させ、その作動部１６５に排水口２１０を閉じる排水栓蓋１９０を取り付けている。後述する操作ボタン１５０の操作によってレリースワイヤ１６０を介して作動部１６５が排水栓蓋１９０を昇降させることにより、排水口２１０を開閉する。なお、図示しないが、支持金具１８０には、前述したホース１７０の一端が取り付けられている。
【００１９】
次に、操作部１００Ｂについて説明する。
図２は排水栓装置の操作部を示す側面図、図３は操作部の中央縦断面図、図４は操作部の分解図である。
操作部１００Ｂは、外周面に雄ネジ１１３が形成された円筒部１１１の上端部に外向きのフランジ１１２を設けたフランジ部材１１０と、フランジ部材１１０の雄ネジ１１３に螺合する雌ネジ１２１を有する締付ナット１２０と、レリースワイヤ１６０の他端に設けられた機構部１６２を保持してフランジ部材１１０の円筒部１１１の下端に下方から接続される接続管１３０と、接続管１３０を締付ナット１２０に取り付ける接続管用接続具１４０と、フランジ部材１１０の円筒部１１１の内部に進退可能に配設された操作ボタン１５０と、を備えている。これらのフランジ部材１１０、締付ナット１２０、接続管１３０、接続管用接続具１４０、操作ボタン１５０は、いずれも樹脂製部材である。
【００２０】
フランジ部材１１０は浴槽２００のリム面２２０の表面側から貫通孔２２１に挿通される。締付ナット１２０は、浴槽２００のリム面２２０の裏面側から、雌ネジ１２１をフランジ部材１１０の雄ネジ１１３に螺合させる。雌ネジ１２１を雄ネジ１１３に締め付けて、フランジ部材１１０のフランジ１１２と締付ナット１２０とで浴槽２００のリム面２２０を挟持する。そして、フランジ部材１１０の円筒部１１１の内周が、操作ボタン１５０を進退可能に支える案内面１１４となる。これにより、フランジ部材１１０と締付ナット１２０とが、浴槽２００のリム面２２０に設けた貫通孔２２１に対して操作ボタン１５０の進退をガイドする操作部ガイド部Ａとなる。
【００２１】
締付ナット１２０は、その外周面の下方に、後述するガイド溝１２２を複数設けている。また、締付ナット１２０の下部に、接続管１３０の上端部が挿入可能な凹部１２３を形成している。
【００２２】
接続管１３０は、下端部にレリースワイヤ１６０の周囲を囲うホース１７０が接続され、上端部を操作部ガイド部Ａに接続している。また、接続管１３０の内部に、機構部１６２を保持する保持部１３１を形成している。また、接続管１３０は、上端部を外向きに突出させた突出部１３２とし、その外周側面に、Ｏリング１３３を嵌める溝１３４を設けている。このＯリング１３３は、接続管１３０が操作部ガイド部Ａに接続されると、接続管１３０の上端部が締付ナット１２０の凹部１２３に挿入されて、締付ナット１２０の凹部１２３の内周面に密接してシールする。
【００２３】
接続管接続具１４０は、接続管１３０の上部寄りの端部に回転可能に設けられている。具体的には、接続管１３０の上部の周囲に形成した浅溝部１３５に、接続管接続具１４０を部分的に係合させて、接続管接続具１４０を浅溝部１３５に沿って回転可能にしている。また、接続管接続具１４０を浅溝部１３５に係合させた状態で、接続管接続具１４０の水平上面が接続管１３０の突出部１３２の下面に接する。そして、接続管接続具１４０の内周部の上方に、後述する突起１４１を複数設けている。
【００２４】
接続管１３０を操作部ガイド部Ａに接続する際には、接続管１３０の上端を操作部ガイド部Ａに近づけた状態で操作部接続具１４０を回して、突起１４１を前述した締付ナット１２０のガイド溝１２２に挿入し、さらに操作部接続具１４０を回し続けて突起１４１をガイド溝１２２のロック位置１２２ｃまで到達させて、接続管１３０の接続は完了となる。
【００２５】
操作ボタン１５０は、機構部１６２の内部から操作ボタン側に突き出たロッド１６３の先端に装着される。操作ボタン１５０を押すたびに、操作ボタン１５０を押す力がロッド１６３から機構部１６２に伝わり、レリースワイヤ１６０を介して排水栓蓋１９０を昇降する。
【００２６】
機構部１６２は、操作ボタン１５０を押すたびにロッド１６３が機構部１６２内に押込まれて、機構部１６２内でレリースワイヤ１６０のインナーワイヤを押し込んで、操作ボタン１５０の進退動作をレリースワイヤ１６０に伝えるように機能する。また、使用者が操作ボタン１５０から手を離すと、押込まれたロッド１６３を上昇させる復帰バネ（図示せず）を内蔵して、操作ボタン１５０を上昇させるように機能する。さらに、本実施形態では、機構部１６２の内部にラッチ機構（図示せず）を内蔵させ、押しボタン１５０を押すたびに、高い位置と低い位置とに交互に押しボタン１５０が位置するようにして、排水栓蓋１９０が排水口２１０を閉じる位置と排水口２１０を開く位置とに保持するようにしている。
【００２７】
次に、操作部ガイド部Ａに接続管１４０を接続する構造について説明する。
図５は操作部を浴槽のリム部に取り付ける状態を示す側面図、図６は図５と同じ状態における操作部を示す中央縦断面図、図７はフランジ部材を浴槽のリム部に取り付ける締付ナットを示す側面図である。
【００２８】
前述したように、接続管用接続具１４０は、その内周部の上方に突起１４１を設けている。本実施形態では、９０度間隔で４個の突起１４１を設けている。
【００２９】
また、操作部ガイド部Ａの一部を構成する締付ナット１２０は、その外周部に突起１４１を差し込み可能なガイド溝１２２を、突起１４１と同じく４個設けている。このガイド溝１２２は、締付ナット１２０の外周面を内方に凹ませて形成している。このガイド溝１２０の凹みは、突起１４１がガイド溝１２０から外れて空回りしないように適度な深さになっている。また、ガイド溝１２２の手前を締付ナット１２０の下面に開放して、その解放端から突起１４１を挿入するようにされている。
【００３０】
ガイド溝１２２の奥には、差し込まれた突起１４１を動かぬように拘束するロック部が設けられている。本実施形態においては、このロック部は、ガイド溝１２２の底面１２２ｅを部分的に浅くする段部１２２ａで構成している。接続管接続具１４０をロックする際には、接続管接続具１４０を回して突起１４１の頂点が段部１２２ａを乗り越えるように力をかけて接続管接続具１４０を回転させることによって、突起１４１をロック位置１２２ｃに到達させる。
また、ガイド溝１２２の解放端から段部１２２ａの間に、ガイド溝１２２に受け入れた突起１４１を斜め上向きに案内する傾斜ガイド部１２２ｂを設けている。
さらに、ガイド溝１２２には、脱落防止部１２４を設けている。本実施形態では、この脱落防止部１２４は、段部１２２ａより奥側、すなわちガイド溝１２２のロック位置１２２ｃの下部に、外側に突出させた突出壁を設けることにより、突起１４１がガイド溝１２２から外れないように構成している。これにより、接続管１３０が左右に傾くような方向に力が加わった場合でも、この突出壁が、突起１４１のガイド溝１２２へのかかり代を大きくするように働くので、接続管１３０が操作部ガイド部Ａから外れるのを防止することができる。
【００３１】
接続管１３０を操作部ガイド部Ａに接続する際には、まず、接続管１３０の上端を操作部ガイド部Ａに近づけた状態で操作部接続具１４０を回して、突起１４１を前述した締付ナット１２０のガイド溝１２２に挿入する。次いで、操作部接続具１４０を回し続けて、突起１４１をガイド溝１２２の傾斜ガイド部１２２ｂ内を移動させることによって接続管接続具１４０を上方に移動させて接続管１３０の上端部を締付ナット１２０の下面に設けた凹部１２３に徐々に挿入させる。この際、接続管１３０に取り付けたＯリング１３３も接続管接続具１４０を回すことによって軽い力で凹部１２３に挿入される。そして、さらに操作部接続具１４０を回して、突起１４１をガイド溝１２２のロック位置１２２ｃまで到達させて、接続管１３０の接続は完了となる。
【００３２】
このように、本実施形態では、接続管１３０に回転可能に付設されている接続管接続具１４０を少し回すだけで、操作部ガイド部Ａに接続管１３０を接続することができる。そのため、従来のように、着脱可能なロック部材の装着ミスによって接続管が接続不良となることはない。また、接続管接続具１４０は、締め込む量が大きい袋ナットではないから、接続管接続具１４０を少し回すだけで接続できるので、接続作業も簡単であり、接続管接続具１４０の作業ミスも起こりにくい。すなわち、簡単な作業で操作部ガイド部Ａに接続管１３０を確実に取り付けることができるので、接続管１３０の取付け不良による不具合を無くすことができる。
【００３３】
また、ガイド溝１２２の奥に、突起１４１をロック位置１２２ｃに拘束する位置決め用の段部１２２ａを形成したことにより、接続管接続具１４０が自然に抜けるのを防止できる。
【００３４】
さらに、突起１４１がロック位置１２２ｃに到達して接続管１３０が操作部ガイド部Ａに接続された状態で、例えば、ホース１７０が斜めに引っ張られるなどして接続管１３０を左右に傾ける方向の力が働いたとしても、ガイド溝１２２から突起１４１が外れるのを脱落防止部１２４が防止するので、接続管１３０をより強固に接続することができる。
【００３５】
また、締付ナット１２０にガイド溝１２２を設けたことにより、操作部ガイド部Ａを予め浴槽２００のリム面２２０に取り付けた際に占める領域を小さく抑えることができる。そのため、浴槽２００のリム面２２０の下方の作業空間を大きく確保することができ、例えば、浴槽２００の裏側に被るような壁パネルの施工の作業性を高めることができる。
【００３６】
さらに、ガイド溝１２２は、接続管１３０が操作部ガイド部Ａに徐々に挿入させる傾斜ガイド部１２２ｂを有し、突起１４１を傾斜ガイド部１２２ｂで案内しつつ接続管１３０を操作部ガイド部Ａに徐々に挿入することによって、接続管１３０に設けたＯリング１３３を、操作部ガイド部Ａと接続管１３０との間に配設させるようにした。これにより、接続管用接続具１４０を回転させて接続管接続具１４０を徐々に操作部ガイド部Ａ内に挿入させる動きを利用して、操作部ガイド部Ａと接続管１３０の間にＯリング１３３を配設するので、Ｏリング１３３を操作部ガイド部Ａと接続管１３０の間に楽に押し込むことが可能となる。
【００３７】
次に、前述した実施形態の変形例について説明する。
図８は締付ナットの変形例を示す側面図である。
この変形例では、図７の実施形態から、ガイド溝１２２の傾斜ガイド部１２２ｂをなくして、代わりに垂直ガイド部１２２ｄを設けている。
この例では、接続管１３０の接続の際には、接続管接続具１４０を回して接続管接続具１４０の突起１４１の位置をガイド溝１２２に一致させて、接続管接続具１４０を垂直ガイド部１２２ｄに沿って上向きに押し込み、その後接続管接続具１４０を再度回して突起１４１をロック位置１２２ｃに到達させる。
これによれば、接続管１３０を徐々に締付ナット１２０の凹部１２３に挿入されることはないが、前述した実施形態とほぼ同じ作用効果を奏する。
【００３８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【００３９】
本実施形態では、排水栓装置１００を浴槽２００に取り付ける例を説明したが、洗面ボウルに取り付ける際にも本発明を適用可能である。また、操作ボタン１５０の取付対象部として、やはり浴槽２００を例示して説明したが、浴槽２００に隣接するカウンターの上面を操作ボタン１５０の取付対象部としてもよい。また、操作ボタン１５０を取り付ける取付対象部は、水平面に限らず、垂直面あるいは傾斜面であってもよい。また、本実施形態では、操作部ガイド部Ａ側にガイド溝１２２を設け、接続管接続具１４０に突起１４１を設けた例としたが、これに代えて、操作部ガイド部Ａに突起１４１を、接続管接続具１４０にガイド溝１２２を設けてもよい。さらに、接続管接続具１４０を、操作部ガイド部Ａの締付ナット１２０に接続するのに代えて、操作部ガイド部Ａのフランジ部材１１０の円筒部１１１に接続するようにすることも可能である。また、ラッチ機構を機構部１６２に内蔵させるのに代えて、作動部１６５に内蔵させてもよい。
【符号の説明】
【００４０】
１００…排水栓装置
１１０…フランジ部材
１１１…円筒部
１１２…フランジ
１１３…雄ネジ
１１４…案内面
１２０…締付ナット
１２１…雌ネジ
１２２…ガイド溝
１２２ａ…段部
１２２ｂ…傾斜ガイド部
１２２ｃ…ロック位置
１２４…脱落防止部
１３０…接続管
１３３…Ｏリング
１４０…接続管用接続具
１４１…突起
１５０…操作ボタン
１６０…レリースワイヤ
１６２…機構部
１９０…排水栓蓋
２００…浴槽（水槽）
２１０…排水口
２２０…リム面（取付対象部）
２２１…貫通孔
Ａ…操作部ガイド部
【図１】
0005971610.tif 000002
【図２】
0005971610.tif 000003
【図３】
0005971610.tif 000004
【図４】
0005971610.tif 000005
【図５】
0005971610.tif 000006
【図６】
0005971610.tif 000007
【図７】
0005971610.tif 000008
【図８】
0005971610.tif 000009